【事件の表示】
　平成１１年特許願第２４１５４３号「隙間調整具およびその隙間調整具用取外し治具」拒絶査定不服審判事件〔平成１３年３月１３日出願公開，特開２００１−６５２４６〕について，次のとおり審決する。
【結　論】
　本件審判の請求は，成り立たない。
【理　由】
第１．手続の経緯
　本願は，平成１１年８月２７日の出願であって，平成２１年９月２日付けで拒絶査定がなされ，これに対し，同年１２月１日に拒絶査定に対する審判請求がなされるとともに，それと同時に手続補正がなされたものである。
　その後，当審において，平成２２年６月２１日付けで審判請求人に前置報告書の内容を示し意見を求めるための審尋を行ったところ，同年８月２４日に回答書が提出されたものである。
 　 　　　
　　　　　
第２．平成２１年１２月１日受付けの手続補正について
［補正の却下の決定の結論］
　平成２１年１２月１日受付けの手続補正を却下する。
　　　　　
［理　由］
【１】補正の内容・目的
　平成２１年１２月１日受付けの手続補正（以下，「本件補正」という。）は，特許請求の範囲の請求項１について，補正前（平成２１年６月１５日受付けの手続補正書を参照。）に，
　「【請求項１】
　２つの相対する第１の部材と第２の部材との間を、第１の部材に形成された貫通穴に挿入された頭付き調整ネジで結合し部材間の隙間をそのネジの螺合によって調整する隙間調整具であって、
　前記第１の部材に固定され、前記頭付き調整ネジのネジ部分は貫通可能であるが頭部分は貫通不能な小径の孔が形成された段部が内周面側に設けられ、かつ前記孔に貫通した頭付き調整ネジの頭部分を係止し前記段部との間に頭部分を挟んで頭付き調整ネジを固定する係止片が内周面側に突設された段付き筒状体を備え、前記係止片は、頭付き調整ネジの挿入時に頭部分の当接により突出状態から非突出状態になりその挿入を容易にするが、挿入が終了すると突出状態に戻って頭付き調整ネジの頭部分を係止するもので、前記係止片は、段付き筒状体の内周面に一体化され、段付き筒状体の径方向に弾力性によって移動自在であることを特徴とする隙間調整具。」
　とあったものを，
　「【請求項１】
　２つの相対する家屋のドア等の枠と仕切り壁の柱等の木質材よりなる躯体との間を、枠に形成された貫通穴に挿入された頭付き調整ネジで結合し前記枠と躯体間の隙間をそのネジの螺合によって調整する隙間調整具であって、
　前記枠に固定され、前記頭付き調整ネジのネジ部分は貫通可能であるが頭部分は貫通不能な小径の孔が形成された段部が内周面側に設けられ、かつ前記孔に貫通した頭付き調整ネジの頭部分を係止し前記段部との間に頭部分を挟んで頭付き調整ネジを固定する係止片が内周面側に突設された段付き筒状体を備え、前記係止片は、頭付き調整ネジの挿入時に頭部分の当接により突出状態から非突出状態になりその挿入を容易にするが、挿入が終了すると突出状態に自動的に戻って頭付き調整ネジの頭部分を係止して頭付き調整ネジが挿入側とは逆側に後退することを押えるもので、前記係止片は、段付き筒状体の内周面に一体化され、段付き筒状体の径方向に弾力性によって移動自在であり、
　前記頭付き調整ネジと前記段付き筒状体の２部品だけで前記隙間を調節することを特徴とする隙間調整具。」
　と補正しようとすることを含むものである。
　　　　　
　本件補正は，補正前の請求項１に係る発明の特定事項について，「第１の部材」を「家屋のドア等の枠」に限定し，「第２の部材」を「仕切り壁の柱等の木質材よりなる躯体」に限定し，「突出状態に戻って」を「突出状態に自動的に戻って」に限定し，「係止する」を「係止して頭付き調整ネジが挿入側とは逆側に後退することを押える」に限定し，さらに，「頭付き調整ネジと段付き筒状体の２部品だけで隙間を調節する」との特定事項を付加したものであるから，本件補正は，少なくとも，平成１８年法律第５５号改正附則第３条第１項によりなお従前の例によるとされる同法による改正前の特許法（以下，「平成１８年改正前特許法」という。）第１７条の２第４項第２号の特許請求の範囲の減縮を目的とする補正事項を含むものである。
　　　　　
　そこで，本件補正後の上記請求項１に係る発明（以下，「補正発明」という。）が，特許出願の際独立して特許を受けることができるものであるか，すなわち，平成１８年改正前特許法第１７条の２第５項において準用する同法第１２６条第５項に規定する要件を満たしているかについて，以下に検討する。 　 　　　 　　　　
　　　　　
【２】独立特許要件違反（特許法第２９条第２項違反）
１．引用刊行物及びその記載事項
（１）原査定の拒絶の理由に引用され本願出願前に頒布された刊行物である特開平１１−４４１５９号公報（以下，「刊行物１」という。）には，「ドア枠の取り付け構造」に関して，図面とともに，次の記載がある。
（1a）「【請求項１】　建物躯体に立設した一対の柱材間の開口部にドア枠を配置すると共にドア枠の両側の縦枠を柱材に沿わせ、筒状の取り付け筒と取り付け筒の一端に螺合した環状の蓋とで筒状の取り付け具を形成すると共にドア枠の縦枠に縦枠の内外に貫通するように設けた取り付け孔に上記取り付け具を蓋が縦枠の内面側に位置するように挿通して取り付け筒を取り付け孔に固定し、ねじ具の軸部を柱材に螺合すると共にねじ具の頭部側を筒状の取り付け具内に挿通し、ねじ具の頭部側に外径の大きくなった径大部を設けると共にこの径大部を取り付け筒内の大径孔部内に位置させ、径大部の一端側の段部を取り付け筒内の大径孔部の一端側の段部に係当すると共に径大部の他端側の段部を蓋の端面に係当し、ねじ具の頭部側の端面にねじ操作部を設けると共にこのねじ操作部を蓋から露出させて成ることを特徴とするドア枠の取り付け構造。」
（1b）「【０００６】
【発明の実施の形態】建物躯体には図２に示すように一対の柱材１を所定の間隔を隔てて立設してあり、一対の柱材１間の開口部２にドア枠３を配置して取り付けられる。ドア枠３は両側の縦枠３ａと両側の縦枠３ａの上端間に架設した横枠３ｂとで構成され、両側の縦枠３ａを柱材１に沿わせて後述するねじ具７にて取り付けられる。本例の場合、両側の縦枠３ａは図２の符号Ｂに示す３箇所で夫々ねじ具７にて取り付けられる。縦枠３ａの取り付ける箇所で縦枠３ａの内面側には夫々凹部１１を設けてあり、この凹部１１の底部と縦枠３ａの外面との間に貫通するように取り付け孔６を穿孔してある。
【０００７】ねじ具７は図３に示すようにストレートの長い棒状であり、軸部７ａには雄ねじ１２を形成してあり、軸部７ａの先端が尖っている。ねじ具７の頭部７ｂ側に外径の大きな径大部８を設けてあり、ねじ具７の頭部７ｂ側の端面にはねじ操作部１０を設けてある。このねじ操作部１０は本例の場合、十字状のドライバー溝１０ａにて形成されている。
【０００８】取り付け孔６に貫通するように装着する取り付け具Ａは図４に示すような円筒状の取り付け筒４と図５に示すような円環状の蓋５にて形成されている。…取り付け筒４の一端の外周には鍔部１５を全周に亙って突設してある。取り付け筒４内には内径を大きくした大径孔部９を設けてあり、取り付け筒４の鍔部１５を反対側の内面には雌ねじ部１６を設けてあり、大径孔部９の鍔部１５側の端部は段部９ａとなっている。この取り付け筒４は予め縦枠３ａの各取り付け孔６に夫々圧入して取り付けてある。…蓋５は円筒状の筒部１８の一端に外方に突出する鍔部１９を一体に突設して形成されており、筒部１８の外周には雄ねじ部２０が設けられており、鍔部１９には操作溝２１が設けられている。
【０００９】しかしてドア枠３を取り付けるにあたっては次のように行われる。縦枠３ａの各取り付け孔６に取り付けた取り付け筒４内に縦枠３ａの内面側からねじ具７が挿通されてねじ具７の先端が柱材１の内面に当接され、この状態でねじ操作部１０としてドライバー溝１０ａにドライバーの先端を嵌合したりしてねじ具７を回動操作することにより、ねじ具７の軸部７ａの雄ねじ１２が柱材１に螺合される。軸部７ａが柱材１に所定深さまで螺合されることによりねじ具７にてドア枠３の縦枠３ａが柱材１に取り付けられる。この状態でねじ具７の径大部８が取り付け筒４の大径孔部９に収められ、蓋５が取り付け筒４の鍔部１５と反対側に配置され、取り付け筒４の雌ねじ部１６に蓋５の雄ねじ部２０を螺合することで蓋５が取り付け筒４に取り付けられる。この状態で径大部８の一端の段部８ａは取り付け筒４の大径孔部９の一端側の段部９ａに係当され、径大部８の他端の段部８ｂが蓋５の筒部１８の端面に係当させられ、ねじ具７のねじ操作部１０としてのドライバー溝１０ａが蓋５から露出させられる。そしてドライバーの先端をドライバー溝１０ａに嵌合してねじ具７を回動操作することにより縦枠４ａの位置が調整されてドア枠３の建て付けが調整される。つまり、柱材１と縦枠３ａとの間隔Ｌが自在に調整されて縦枠３ａが柱材１の精度に関係なく垂直になるように取り付けられる。」
（1c）「【００１０】
【発明の効果】本発明は叙述のように構成されているので、建物躯体に立設した一対の柱材間の開口部にドア枠を配置すると共にドア枠の両側の縦枠を柱材に沿わせた状態から、取り付け孔に予め取り付けた取り付け筒に縦枠の内面側からねじ具を挿通し、ねじ具を回転操作してねじ具の軸部を柱材に螺合し、軸部を柱材の所定深さまで螺合した状態でねじ具にて縦枠を取り付け、そして径大部を大径孔部に位置させた状態で取り付け筒に蓋を螺合して取り付け、径大部の一端側の段部を取り付け筒内の大径孔部の一端側の段部に係当すると共に径大部の他端側の段部を蓋の端面に係当し、この状態でドライバー等でねじ操作部を操作することでねじ具を回動して柱材に対する縦枠の位置を内外方向に調整してドア枠の建て付けを調整することができるものであって、上記のようにドア枠の建て付けを調整することによりドア枠を柱材の精度によらず所定の状態に取り付けることができるものでり、またドア枠を取り付けるねじ具を兼用してドア枠の建て付けを調整できて構造を簡単にできるものである。」
（1d）そして，上記記載事項（1b）及び図面から，取り付け筒４の内周面（の鍔部１５）側に，ねじ具７の雄ねじ１２が形成された軸部７ａは貫通可能であるがねじ具７の径大部８は貫通不能な小径の孔が形成され，当該孔と大径孔部９との連通部分において，ねじ具７の径大部８の一端段部８ａが係当される段部９ａが設けられていることは明らかであり，また，ねじ具７と取り付け具Ａとが，２つの相対するドア枠３の縦枠３ａと建物躯体に立設した柱材１間をねじ具７により結合するとともに，上記縦枠３ａと上記柱材１間の間隔Ｌをねじ具７の螺合により調整する，取り付け兼用間隔調整具となっていることは明らかである。
　　　　　
　上記記載事項（1a）〜（1d）及び図面の記載並びに当業者の技術常識からみて，刊行物１には，次の発明（以下，「刊行物１記載の発明」という。）が記載されているものと認められる。
　「２つの相対するドア枠３の縦枠３ａと建物躯体に立設した柱材１との間を，縦枠３ａに形成された取り付け孔６に挿入されたねじ具７で結合し，前記縦枠３ａと柱材１間の間隔Ｌをそのねじ具７の螺合によって調整するねじ具７と取り付け具Ａとからなる取り付け兼用間隔調整具であって，
　前記ねじ具７は，軸部７ａ側に雄ねじ１２が形成されており，かつ，頭部７ｂ側に外径の大きな径大部８とねじ操作部１０とが設けられているものであり，
　前記取り付け具Ａは，前記縦枠３ａの取り付け孔６に貫通するように装着されるものであって，前記ねじ具７の雄ねじ１２が形成された軸部７ａは貫通可能であるが径大部８は貫通不能な小径の孔が形成された段部９ａが内周面側に設けられた円筒状の取り付け筒４と，前記取り付け筒４に螺合して取り付けられる円環状の蓋５とからなり，
　前記取り付け筒４に前記蓋５が螺合して取り付けられた状態で，前記取り付け筒４の孔に貫通してその径大部８の一端段部８ａが段部９ａに係当されたねじ具７の径大部８の他端段部８ｂに前記蓋５の筒部１８の端面が係当されてドア枠３の建て付けを調整できる，
　ねじ具７と取り付け具Ａとからなる取り付け兼用間隔調整具。」
　　　　
（２）原査定の拒絶の理由に引用され本願出願前に頒布された刊行物である実願昭６１−３９４３２号（実開昭６２−１５１４２２号）のマイクロフィルム（以下，「刊行物２」という。）には，「部品取付装置」に関して，図面とともに，次の記載がある。
（2a）「２．実用新案登録請求の範囲
　　取付部品本体を、この取付部品本体に突設した筒状部に止めねじを挿通して被取付体に螺着固定する部品取付装置において、
　　上記筒状部内に止めねじの挿通を許容するとともに脱落を防止する弾性突片を設けたことを特徴とする部品取付装置。」（明細書１頁４〜１０行）
（2b）「（実施例）
　　以下、本考案の部品取付装置の一実施例を図面を参照して説明する。
　　第１図および第２図において、１は合成樹脂からなる取付部品本体で、この取付部品本体１には下面を開口した筒状部２が一体に突設され、この筒状部２の先端の平面部の中央に止めねじ１３の挿通孔３が設けられている。また、前記筒状部２の先端両側の角部には切欠部４が設けられ、この両側の切欠部４の下部に弾性突片５が設けられている。この両側の弾性突片５は、筒状部２に長さ方向に設けた両側のスリット６により弾性板７が形成され、この弾性板７の先端に前記止めねじ１３の頭部の径よりも内方に突設された爪状の引掛部８が設けられている。
　　そして、取付部品本体１を被取付体１１に取付ける場合は、取付部品本体１の筒状部２に止めねじ１３を挿入して先端を挿通孔３から突出させ、被取付体１１の雌ねじ部１２に螺着する。この際、止めねじ１３の頭部は両側の弾性突片５の引掛部８を外方に押し開きながら挿通する。
　　そして、取付部品本体１の取付状態では弾性突片５は元の状態に復帰し、止めねじ１３がゆるんだ場合でも止めねじ１３の頭部が両側の弾性突片５の引掛部８によって下方への移動が阻止され、引掛部８に係止されることにより脱落が防止される。
　　つぎに、第３図および第４図に示す実施例は、前記第１図および第２図に示したものに対し、弾性突片５として弾性板を設けないもので、弾性突片５として引掛部８のみを設けたものである。
　　このようにしても、材質等により弾性突片５の引掛部８に止めねじ１３の頭部の挿通を許容する弾性力を与えることにより、止めねじ１３の挿通が容易で、脱落を防止することができる。」（同書３頁１３行〜５頁６行）
　　　　　　
２．対比
　補正発明と刊行物１記載の発明とを対比する。
　刊行物１記載の発明の「（ドア枠３の）縦枠３ａ」は補正発明の「（家屋のドア等の）枠」に相当し，以下同様に，「建物躯体に立設した柱材１」は「仕切り壁の柱等の躯体」に相当し，「取り付け孔６」は「貫通穴」に相当し，「（縦枠３ａと柱材１間の）間隔Ｌ」は「（枠と躯体間の）隙間」に相当し，「ねじ具７と取り付け具Ａとからなる取り付け兼用間隔調整具」は「隙間調整具」に相当する。
　また，刊行物１記載の発明の「ねじ具７」は，補正発明の「ネジ部分」に相当する「（雄ねじ１２が形成された）軸部７ａ」と，補正発明の「頭部分」に相当する「径大部８」とを有するものであるから，補正発明の「頭付き調整ネジ」に相当する。
　また，刊行物１記載の発明の「（円筒状の取り付け筒４と円環状の蓋５とからなる）取り付け具Ａ」は，「取り付け筒４」の内周面側に「ねじ具７の…軸部７ａは貫通可能であるが径大部８は貫通不能な小径の孔が形成された段部９ａ」が設けられ，当該「取り付け筒４」とそれに螺合して取り付けられる「蓋５」とで，「ねじ具７」の「径大部８」に両端から係当され（一端段部８ａに段部９ａが係当され，他端段部８ｂに筒部１８の端面が係当される。）て「ドア枠３の建て付けを調整できる」ものであるから，補正発明の「段付き筒状体」に相当し，さらに，刊行物１記載の発明の「係当され」は補正発明の「係止し」に相当し，以下同様に，「縦枠３ａの取り付け孔６に貫通するように装着され」は「枠に固定され」に相当する。
　そして，刊行物１記載の発明の「蓋５」は，「一端段部８ａが（取り付け筒４の）段部９ａに係当されたねじ具７の径大部８の他端段部８ｂ」にその「筒部１８の端面が係当されてドア枠３の建て付けを調整できる」ものであるから，「ねじ具７」の挿入側とは逆側への後退を押えるものと認められるところ，補正発明の「係止片」も，「段部との間に頭部分を挟んで頭付き調整ネジを固定」して，「頭付き調整ネジの頭部分を係止して頭付き調整ネジが挿入側とは逆側に後退することを押える」ものであって，両者は，実質的に同一の機能を奏するものであるから，刊行物１記載の発明の「蓋５」と補正発明の「係止片」とは，「頭付き調整ネジが挿入側とは逆側に後退することを押える部材」で共通する。
　　　　　
　そうすると，両者は，
　「２つの相対する家屋のドア等の枠と仕切り壁の柱等の躯体との間を，枠に形成された貫通穴に挿入された頭付き調整ネジで結合し前記枠と躯体間の隙間をそのネジの螺合によって調整する隙間調整具であって，
　前記枠に固定され，前記頭付き調整ネジのネジ部分は貫通可能であるが頭部分は貫通不能な小径の孔が形成された段部が内周面側に設けられ，かつ前記孔に貫通した頭付き調整ネジの頭部分を係止し前記段部との間に頭部分を挟んで頭付き調整ネジを係止固定して頭付き調整ネジが挿入側とは逆側に後退することを押える部材を設けた段付き筒状体を備え，
　前記頭付き調整ネジと前記段付き筒状体により前記隙間を調節する隙間調整具。」の点で一致し，次の点で相違する。
＜相違点１＞
　仕切り壁の柱等の躯体について，
　補正発明が，「木質材よりなる」ものであるのに対し，
　刊行物１記載の発明では，その材質が定かでない点。
＜相違点２＞
　頭付き調整ネジが挿入側とは逆側に後退することを押える部材について，
　補正発明が，「段付き筒状体」の「内周面側に突設され」，かつ，「段付き筒状体の内周面に一体化され、段付き筒状体の径方向に弾力性によって移動自在」であり，「頭付き調整ネジの挿入時に頭部分の当接により突出状態から非突出状態になりその挿入を容易にするが、挿入が終了すると突出状態に自動的に戻って頭付き調整ネジの頭部分を係止」する「係止片」であるのに対し，
　刊行物１記載の発明では，「取り付け筒４」に螺合した「蓋５」であり，そのようなものではない点。
　　　 
３．作用効果・判断
　各相違点について検討する。
＜相違点１について＞
　刊行物１記載の発明において，「建物躯体に立設した柱材１」に「ねじ具７」の「軸部７ａ（雄ねじ１２）」が螺合されるのであるから，当該「柱材１」は，刊行物１に特に明記されてはいないものの，木質材からなるものと解することができる。また，仮に，そうでないとしても，当該「柱材１」を，木質材により形成して，上記相違点１に係る補正発明の構成とすることは，当業者が必要に応じて適宜なす程度の設計的事項にすぎない。
＜相違点２について＞
　刊行物２には，取付部品本体１（補正発明の「段付き筒状体」に対応する。以下同様。）を，当該取付部品本体１に突設した筒状部２に止めねじ１３（頭付き調整ネジ）を挿通して被取付体１１（躯体）に螺着固定する部品取付装置において，上記筒状部２の両側に止めねじ１３の頭部（頭部分）の径よりも内方に突設された弾性突片５の爪状の引掛部８（段付き筒状体の内周面側に突設一体化され，段付き筒状体の径方向に弾力性によって移動自在の係止片）が設けられ，止めねじ１３の挿入時にはその頭部が両側の弾性突片５の引掛部８を外方に押し開きながら挿通を許容し（頭部分の当接により突出状態から非突出状態になりその挿入を容易にする），挿入が終了した状態では弾性突片５は元の状態に復帰して（突出状態に自動的に戻って），止めねじ１３の頭部の移動が筒状部２の両側の弾性突片５の爪状の引掛部８に係止されることにより阻止されるようにした発明が記載されている。
　そうすると，刊行物１記載の発明における「蓋５」と刊行物２記載の発明における上記「弾性突片５の爪状の引掛部８」とは，技術分野は相違するものの，ともに，頭付き調整ネジの挿入側とは逆側に後退する移動を阻止するという共通の機能を有するものであることは明らかである。
　また，部品点数を減らすという課題は，どのような技術分野においても，共通のものである。
　してみると，刊行物１記載の発明において，「蓋５」に代えて，刊行物２記載の発明における「弾性突片５の爪状の引掛部８」の技術を採用して，「取り付け筒４」の内周面に係止片を突設一体化し，ねじ具と取り付け筒の２部品だけで柱材と縦枠との間隔を調節できるようにして，上記相違点２に係る補正発明の構成とすることは，当業者が容易に想到し得たことである。
　　　　　
　そして，補正発明の作用効果も，刊行物１，２記載の発明から，当業者が予測できる範囲内のものである。
　　　 
　したがって，補正発明は，刊行物１，２記載の発明に基づいて当業者が容易に発明をすることができたものであるから，特許法第２９条第２項の規定により特許出願の際独立して特許を受けることができないものである。
　　　　　
　　　　　
【３】補正の却下の決定のむすび
　以上より，本件補正は，平成１８年改正前特許法第１７条の２第５項において準用する同法第１２６条第５項に規定する要件を満たしていないものであるから，同法第１５９条第１項において読み替えて準用する同法第５３条第１項の規定により却下すべきものである。
　よって，［補正の却下の決定の結論］のとおり決定する。
 　 　　　
　　　　　
第３．本願発明について
【１】本願発明
　平成２１年１２月１日受付けの手続補正は却下されたので，本願の請求項１に係る発明（以下，「本願発明」という。）は，平成２１年６月１５日受付けの手続補正により補正された明細書の特許請求の範囲の請求項１に記載された事項により特定される，次のとおりのものである。
　「【請求項１】
　２つの相対する第１の部材と第２の部材との間を、第１の部材に形成された貫通穴に挿入された頭付き調整ネジで結合し部材間の隙間をそのネジの螺合によって調整する隙間調整具であって、
　前記第１の部材に固定され、前記頭付き調整ネジのネジ部分は貫通可能であるが頭部分は貫通不能な小径の孔が形成された段部が内周面側に設けられ、かつ前記孔に貫通した頭付き調整ネジの頭部分を係止し前記段部との間に頭部分を挟んで頭付き調整ネジを固定する係止片が内周面側に突設された段付き筒状体を備え、前記係止片は、頭付き調整ネジの挿入時に頭部分の当接により突出状態から非突出状態になりその挿入を容易にするが、挿入が終了すると突出状態に戻って頭付き調整ネジの頭部分を係止するもので、前記係止片は、段付き筒状体の内周面に一体化され、段付き筒状体の径方向に弾力性によって移動自在であることを特徴とする隙間調整具。」
　　　　　
　　　　　
【２】引用刊行物及びその記載事項
　原査定の拒絶の理由に引用され本願出願前に頒布された刊行物及びその記載事項は，上記「第２．【２】１．」のとおりである。
　　　　　
　　　　　
【３】対比・判断
　本願発明は，補正発明から，上記「第２．【１】」で掲げた特定事項の限定，付加を省いたものである。
　そうすると，本願発明を特定するために必要な事項を全て含み，さらに他の事項を付加したものに相当する補正発明が，上記「第２．【２】３．」で述べたとおり，刊行物１，２記載の発明に基づいて当業者が容易に発明をすることができたものであるから，本願発明も，同様の理由により，刊行物１，２記載の発明に基づいて当業者が容易に発明をすることができたものである。
　　　　　
　　　　　
第４．むすび
　以上のとおり，本願発明は，刊行物１，２記載の発明に基づいて当業者が容易に発明をすることができたものであり，特許法第２９条第２項の規定により特許を受けることができないから，本願の他の請求項に係る発明について検討するまでもなく，本願は拒絶すべきものである。
　　　　　
　よって，結論のとおり審決する。